【手続補正書】
【提出日】平成28年8月4日(2016.8.4)
【手続補正１】
【補正対象書類名】特許請求の範囲
【補正対象項目名】全文
【補正方法】変更
【補正の内容】
【特許請求の範囲】
【請求項１】
放射線の入射方向を揃えるコリメータと前記コリメータにより入射方向が揃えられた放射線を検出する検出器とを含んでなる検出器パネルと、
前記検出器パネルが１つまたは複数取り付けられ、前記取り付けられた検出器パネルを、被写体を略中心として、その周囲を回転移動させるガントリと、
前記ガントリに取り付けられた１つまたは複数の検出器パネルを、それぞれ、回転移動の接線方向に移動させる接線方向移動機構と、
を備え、
前記ガントリにより前記１つまたは複数の検出器パネルを前記被写体の全周を回転移動させつつ、各回転位置における前記被写体の関心領域の投影像を前記１つまたは複数の検出器パネルにより撮像するときには、前記１つまたは複数の検出器パネルのそれぞれにより撮像される投影像の撮像範囲の和集合が前記関心領域の大きさに対応するように、前記１つまたは複数の検出器パネルのそれぞれを前記接線方向に移動させ、
前記回転移動および接線方向の移動をさせた前記１つまたは複数の検出器パネルによりそれぞれ撮像される投影像を用いて、前記関心領域の断層像を再構成すること
を特徴とする放射線撮像装置。
【請求項２】
前記検出器パネルの接線方向への移動は、前記検出器パネルを回転移動させるたびに各回転位置において行うこと
を特徴とする請求項１に記載の放射線撮像装置。
【請求項３】
前記検出器パネルの接線方向への移動は、前記検出器パネルを前記被写体の全周を１回回転移動させる前に、そのたびごとに行うこと
を特徴とする請求項１に記載の放射線撮像装置。
【請求項４】
さらに、前記関心領域の各回転位置における前記検出器パネルの前記接線方向への移動軸への投影像の最小位置と最大位置とを取得する投影像取得手段を有し、
前記各回転位置において、前記撮像範囲の和集合の接線方向の最小位置が前記投影像取得手段により取得される最小位置に対応し、かつ、前記撮像範囲の和集合の接線方向の最大位置が前記投影像取得手段により取得される最大位置に対応するように、前記複数の検出器パネルを移動させること
を特徴とする請求項１に記載の放射線撮像装置。
【請求項５】
さらに、前記関心領域の各回転位置における前記検出器パネルの前記接線方向への移動軸への投影像の最小位置と最大位置とを取得する投影像取得手段を有し、
前記検出器パネルの１つを前記被写体の全周を複数回回転移動させ、前記各回転位置において、前記回転移動の回数毎に前記検出器パネルを前記接線方向に移動させながら撮像する場合には、前記回転移動の回数毎に撮像した前記関心領域の投影像の撮像範囲の和集合の最小位置が前記投影像取得手段により取得される最小位置に対応し、かつ、前記撮像範囲の和集合の接線方向の最大位置が前記投影像取得手段により取得される最大位置に対応するように、前記検出器パネルを前記接線方向に移動させること
を特徴とする請求項１に記載の放射線撮像装置。
【請求項６】
さらに、前記検出器とは別に、前記関心領域にフォーカスして前記関心領域を撮像する検出器パネルを備えることを
を特徴とする請求項１に記載の放射線撮像装置。
【請求項７】
放射線の入射方向を揃えるコリメータと前記コリメータにより入射方向が揃えられた放射線を検出する検出器とを含んでなる検出器パネルと、
前記検出器パネルが取り付けられ、前記取り付けられた検出器パネルを、被写体を略中心として、その周囲を回転移動させるガントリと、
前記ガントリに取り付けられた検出器パネルを回転移動の接線方向に移動させる接線方向移動機構と、
を備え、
前記接線方向移動機構により前記検出器パネルを前記接線方向に移動させつつ、複数の移動位置で前記被写体の関心領域の投影像を撮像するときには、それぞれの移動位置で撮像される投影像の撮像範囲の和集合が前記関心領域の大きさに対応するように、前記検出器パネルを前記接線方向に移動させ、
前記接線方向の移動をさせた前記検出器パネルにより撮像される複数の投影像を用いて、前記関心領域のプラナー像を再構成すること
を特徴とする放射線撮像装置。
【請求項８】
放射線の入射方向を揃えるコリメータと前記コリメータにより入射方向が揃えられた放射線を検出する検出器とを含んでなる検出器パネルと、
前記検出器パネルが複数取り付けられ、前記取り付けられた検出器パネルを、被写体を略中心として、その周囲を回転移動させるガントリと、
前記ガントリに取り付けられた複数の検出器パネルを、それぞれ、回転移動の接線方向に移動させる接線方向移動機構と、
を備え、
前記複数の検出器パネルを前記ガントリにより回転移動させることにより、前記複数の検出器パネルのそれぞれを互いに干渉しない程度に接近させ、かつ、前記複数の検出器パネルのそれぞれにより撮像される投影像の撮像範囲の和集合が前記被写体の関心領域の大きさに対応するように、前記複数の検出器パネルのそれぞれを前記接線方向に移動させ、
前記回転移動および接線方向の移動をさせた前記複数の検出器パネルにより撮像される投影像を用いて、前記関心領域のプラナー像を再構成すること
を特徴とする放射線撮像装置。
【請求項９】
放射線の入射方向を揃えるコリメータと前記コリメータにより入射方向が揃えられた放射線を検出する検出器とを含んでなる検出器パネルと、
前記検出器パネルが１つまたは複数取り付けられ、前記取り付けられた１つまたは複数の検出器パネルを、被写体を略中心として、その周囲を回転移動させるガントリと、
前記ガントリに取り付けられた１つまたは複数の検出器パネルを、それぞれ、回転移動の接線方向に移動させる接線方向移動機構と、
を備えた放射線撮像装置が、
前記ガントリにより前記１つまたは複数の検出器パネルを前記被写体の全周を回転移動させつつ、各回転位置における前記被写体の関心領域の投影像を前記１つまたは複数の検出器パネルにより撮像するときには、前記１つまたは複数の検出器パネルのそれぞれにより撮像される投影像の撮像範囲の和集合が前記関心領域の大きさに対応するように、前記１つまたは複数の検出器パネルのそれぞれを前記接線方向に移動させ、
前記回転移動および接線方向の移動をさせた前記１つまたは複数の検出器パネルにより撮像される投影像を用いて、前記関心領域の断層像を再構成すること
を特徴とする放射線撮像方法。
【請求項１０】
前記検出器パネルの接線方向への移動は、前記検出器パネルを回転移動させるたびに各回転位置において行うこと
を特徴とする請求項９に記載の放射線撮像方法。
【請求項１１】
前記検出器パネルの接線方向への移動は、前記検出器パネルを前記被写体の全周を１回回転移動させる前に、そのたびごとに行うこと
を特徴とする請求項９に記載の放射線撮像方法。
【請求項１２】
前記放射線撮像装置は、
さらに、前記関心領域の各回転位置における前記検出器パネルの前記接線方向への移動軸への投影像の最小位置と最大位置とを取得する投影像取得手段を有し、
前記各回転位置において、前記撮像範囲の和集合の接線方向の最小位置が前記投影像取得手段により取得される最小位置に対応し、かつ、前記撮像範囲の和集合の接線方向の最大位置が前記投影像取得手段により取得される最大位置に対応するように、前記複数の検出器パネルを移動させること
を特徴とする請求項９に記載の放射線撮像方法。
【請求項１３】
前記放射線撮像装置は、
さらに、前記関心領域の各回転位置における前記検出器パネルの前記接線方向への移動軸への投影像の最小位置と最大位置とを取得する投影像取得手段を有し、
前記検出器パネルの１つを前記被写体の全周を複数回回転移動させ、前記各回転位置において、前記回転移動の回数毎に前記検出器パネルを前記接線方向に移動させながら撮像する場合には、前記回転移動の回数毎に撮像した前記関心領域の投影像の撮像範囲の和集合の最小位置が前記投影像取得手段により取得される最小位置に対応し、かつ、前記撮像範囲の和集合の接線方向の最大位置が前記投影像取得手段により取得される最大位置に対応するように、前記検出器パネルを前記接線方向に移動させること
を特徴とする請求項９に記載の放射線撮像方法。
【請求項１４】
放射線の入射方向を揃えるコリメータと前記コリメータにより入射方向が揃えられた放射線を検出する検出器とを含んでなる検出器パネルと、
前記検出器パネルが取り付けられ、前記取り付けられた検出器パネルを、被写体を略中心として、その周囲を回転移動させるガントリと、
前記ガントリに取り付けられた検出器パネルを回転移動の接線方向に移動させる接線方向移動機構と、
を備えた放射線撮像装置が、
前記接線方向移動機構により前記検出器パネルを前記接線方向に移動させつつ、複数の移動位置で前記被写体の関心領域の投影像を撮像するときには、それぞれの移動位置で撮像される投影像の撮像範囲の和集合が前記関心領域の大きさに対応するように、前記検出器パネルを前記接線方向に移動させ、
前記接線方向の移動をさせた前記検出器パネルにより撮像される複数の投影像を用いて、前記関心領域のプラナー像を再構成すること
を特徴とする放射線撮像方法。
【請求項１５】
放射線の入射方向を揃えるコリメータと前記コリメータにより入射方向が揃えられた放射線を検出する検出器とを含んでなる検出器パネルと、
前記検出器パネルが複数取り付けられ、前記取り付けられた検出器パネルを、被写体を略中心として、その周囲を回転移動させるガントリと、
前記ガントリに取り付けられた複数の検出器パネルを、それぞれ、回転移動の接線方向に移動させる接線方向移動機構と、
を備えた放射線撮像装置が、
前記複数の検出器パネルを前記ガントリにより回転移動させることにより、前記複数の検出器パネルのそれぞれを互いに干渉しない程度に接近させ、かつ、前記複数の検出器パネルのそれぞれにより撮像される投影像の撮像範囲の和集合が前記被写体の関心領域の大きさに対応するように、前記複数の検出器パネルのそれぞれを前記接線方向に移動させ、
前記回転移動および接線方向の移動をさせた前記複数の検出器パネルにより撮像される投影像データを用いて、前記関心領域のプラナー像を再構成すること
を特徴とする放射線撮像方法。
【請求項１６】
請求項１ないし請求項８のいずれか１項に記載の放射線撮像装置を含んで構成されることを特徴とする核医学診断装置。
【手続補正２】
【補正対象書類名】明細書
【補正対象項目名】００１１
【補正方法】変更
【補正の内容】
【００１１】
本発明に係る放射線撮像装置は、放射線の入射方向を揃えるコリメータと前記コリメータにより入射方向が揃えられた放射線を検出する検出器とを含んでなる検出器パネルと、前記検出器パネルが１つまたは複数取り付けられ、前記取り付けられた検出器パネルを、被写体を略中心として、その周囲を回転移動させるガントリと、前記ガントリに取り付けられた１つまたは複数の検出器パネルを、それぞれ、回転移動の接線方向に移動させる接線方向移動機構と、を備え、  前記ガントリにより前記１つまたは複数の検出器パネルを前記被写体の全周を回転移動させつつ、各回転位置における前記被写体の関心領域の投影像を前記１つまたは複数の検出器パネルにより撮像するときには、前記１つまたは複数の検出器パネルのそれぞれにより撮像される投影像の撮像範囲の和集合が前記関心領域の大きさに対応するように、前記１つまたは複数の検出器パネルのそれぞれを前記接線方向に移動させ、前記回転移動および接線方向の移動をさせた前記１つまたは複数の検出器パネルによりそれぞれ撮像される投影像を用いて、前記関心領域の断層像を再構成することを特徴とする。